(57)【要約】【課題】突出部を有しない錠剤封入シートに封入された錠剤を取り出すことができる。【解決手段】錠剤除包装置１０には、錠剤が通過可能な貫通穴である錠剤貫通穴２２を有するシート保持板２０と、下端面に凸部及び凹部を有する押圧筒３０と、を備えている。錠剤を取り出す際には、押圧筒を押下することで、凸部が錠剤封入シートを押圧し、押圧面の少なくとも一部が錠剤貫通穴２２に侵入する。このとき、錠剤貫通穴２２の内縁と押圧筒３０の外縁とによって錠剤封入シートの一部が切断され、錠剤が取り出される。こうすることにより、突出部を有しない錠剤封入シートに封入された錠剤を取り出すことを実現することができる。【選択図】図１
2010263988.tif 000002
【特許請求の範囲】
【請求項１】
錠剤が封入された錠剤封入シートを上面で保持し、該錠剤が通過可能な貫通穴である錠剤貫通穴を有するシート保持部材と、
一方の先端に前記錠剤の少なくとも一部が侵入可能な凹部と凸部とを有し、該凸部が前記錠剤封入シートを押圧し、前記錠剤貫通穴を少なくとも一部が通過する、シート押圧部材と、
を備えた、
錠剤除包装置。
【請求項２】
前記凸部は、前記シート保持部材に対して傾斜角を有する、
請求項１に記載の錠剤除包装置。
【請求項３】
請求項１又は２に記載の錠剤除包装置であって、
前記シート押圧部材と接する作用点と、該作用点の一方側に設けられた力点と、該作用点の他方側に設けられた支点と、を有する長柄状の操作部材と、
を備えた、
錠剤除包装置。
【請求項４】
請求項３に記載の錠剤除包装置であって、
前記操作部材に前記シート押圧部材を付勢する付勢部材と、
を備えた、
錠剤除包装置。
【請求項５】
前記凸部は、前記シート押圧部材の外周に沿って設けられており、
前記凸部の頂面と前記凹部の底面との間に頂点を有する突起部材と、
を備えた、
請求項１〜４のいずれか１項に記載の錠剤除包装置。
【請求項６】
前記突起部材は、前記シート押圧部材が前記錠剤封入シートを押圧するに伴って、該突起部材が該シート押圧部材の進行方向に移動する、
請求項５項に記載の錠剤除包装置。
【請求項７】
前記凸部は、先端が刃である、
請求項１〜６のいずれか１項に記載の錠剤除包装置。
【請求項８】
請求項１〜７のいずれか１項に記載の錠剤除包装置であって、
前記シート保持部材の上面上を移動可能なシート位置決定手段と、
を備えた、
錠剤除包装置。
【発明の詳細な説明】
【技術分野】
【０００１】
本発明は、錠剤除包装置に関する。
【背景技術】
【０００２】
従来、錠剤パックに封入された錠剤を、落としたり破損したりすることなく容易に取り出すための錠剤パックオープナーが知られている。例えば、特許文献１には、錠剤パックの突出部を上側にして開孔の上に載置した後、錠剤パックの突出部の上部に配置された押出板を押圧することで、押出板に設けられた突起で錠剤を押出す錠剤パックオープナーが記載されている。
【先行技術文献】
【特許文献】
【０００３】
【特許文献１】特開平１１−１３００２５号公報
【発明の概要】
【発明が解決しようとする課題】
【０００４】
しかしながら、こうした錠剤パックオープナーでは、錠剤を直接押圧して取り出すため、例えばＰＴＰシートのように、突出部を有する錠剤封入シートに錠剤が封入されていないと、錠剤を取り出すことができないという問題点があった。
【０００５】
本発明は、このような課題に鑑みなされたものであり、突出部を有しない錠剤封入シート（例えば、ストリップ包装（「ＳＰ包装」とも、言う）など）に封入された錠剤を取り出すことができる錠剤除包装置を提供することを主目的とする。
【課題を解決するための手段】
【０００６】
本発明は、上述の目的を達成するために以下の手段を採った。
【０００７】
本発明の錠剤除包装置は、
錠剤が封入された錠剤封入シートを上面で保持し、該錠剤が通過可能な貫通穴である錠剤貫通穴を有するシート保持部材と、
一方の先端に前記錠剤の少なくとも一部が侵入可能な凹部と凸部とを有し、該凸部が前記錠剤封入シートを押圧し、前記錠剤貫通穴を少なくとも一部が通過する、シート押圧部材と、
を備えている。
【０００８】
この錠剤除包装置は、凹凸を有する押圧面のうち、凸部が錠剤封入シートを押圧し、押圧面の少なくとも一部が錠剤封入シートを保持するシート保持部材に設けられた貫通穴に侵入する。こうすることにより、突出部を有しない錠剤封入シートに封入された錠剤であっても、取り出すことが可能である。
【０００９】
本発明の錠剤除包装置において、前記凸部は、前記シート保持部材に対して傾斜角を有していてもよい。こうすれば、凸部の傾斜面が先端部から順次錠剤封入シートに触れることになるため、錠剤封入シートと凸部との接地面が減少し、押圧力を集中させるという効果が得られる。言い換えると、突出部を有しない錠剤封入シートに封入された錠剤を、より小さな力で取り出すことができる。
【００１０】
本発明の錠剤除包装置は、前記シート押圧部材と接する作用点と、該作用点の一方側に設けられた力点と、該作用点の他方側に設けられた支点と、を有する長柄状の操作部材を備えていても良い。こうすれば、てこの原理を利用して、より少ない労力で錠剤を取り出すという効果が得られる。言い換えると、突出部を有しない錠剤封入シートに封入された錠剤を、より少ない労力で取り出すことができる。なお、この効果は、本発明の錠剤除包装置を複数回用いて、多数の錠剤を一度に取り出す際には、より顕著な効果として得られる。この態様を採用した本発明の錠剤除包装置は、前記操作部材に前記シート押圧部材を付勢する付勢部材と、を備えていてもよい。シート押圧部材を操作部材に付勢することにより、シート押圧部材を操作部材と連動して移動することができる。言い換えると、それぞれの部材を別々に移動させる場合と比較して、移動の手間を軽減するという効果を得ながら、突出部を有しない錠剤封入シートに封入された錠剤を、より小さな力で取り出すことができる。
【００１１】
本発明の錠剤除包装置において、前記凸部は、前記シート押圧部材の外周に沿って設けられており、前記凸部の頂面と前記凹部の底面との間に頂点を有する突起部材を備えていても良い。つまり、錠剤封入シートの一部を凸部で押圧した後に、突起部材で錠剤封入シートの一部を押圧することができる。こうすれば、凸部によって錠剤の周囲の一部を切り取った後に錠剤付近を突起部材が押圧することになるため、錠剤の周囲全体を切除することなく錠剤を取り出すことができる。言い換えると、切除された不要な錠剤封入シートの断片と必要な錠剤とが混合することを未然に防ぐことができる。この態様を採用した本発明の錠剤除包装置において、前記突起部材は、前記シート押圧部材が前記錠剤封入シートを押圧するに伴って、該突起部材が該シート押圧部材の進行方向に移動してもよい。こうすれば、突起部材が移動しない場合と比較して、シート押圧部材の移動距離をより低減させることができる。言い換えると、突出部を有しない錠剤封入シートに封入された錠剤を、より少ない労力で取り出すことができる。
【００１２】
本発明の錠剤除包装置において、前記凸部は、先端が刃であってもよい。こうすれば、錠剤押圧部材で錠剤封入シートを押圧して錠剤の周囲を切断する際に、先端に刃が無い場合と比較して、より小さな力で錠剤の周囲を切断することができる。言い換えると、突出部を有しない錠剤封入シートに封入された錠剤を、より少ない労力で取り出すことができる。
【００１３】
本発明の錠剤除包装置は、前記シート保持部材の上面上を移動可能なシート位置決定手段と、を備えていてもよい。こうすれば、シート位置決定手段によって錠剤封入シートの位置を位置決めすることができるため、複数の錠剤を取り出す場合に、毎回錠剤封入シートの位置を位置決めする労力を低減することができる。言い換えると、突出部を有しない錠剤封入シートに封入された錠剤を、より少ない労力で取り出すことができる。
【図面の簡単な説明】
【００１４】
【図１】錠剤除包装置１０の構成の概略を示す斜視図である。
【図２】錠剤除包装置１０の構成の概略を示す断面図である。
【図３】押圧筒３０の構成の概略を示す斜視図である。
【図４】錠剤除包装置１０の使用方法を説明するための説明図である。
【図５】他の実施の形態における押圧筒１３０の構成の概略を示す分解斜視図である。
【図６】他の実施の形態における押圧筒２３０の構成の概略を示す斜視図である。
【図７】他の実施の形態における錠剤除包装置１０の構成の概略を示す斜視図である。
【発明を実施するための形態】
【００１５】
ここで、上記簡単に説明した図面に基づいて、本発明を実施するための形態を説明するにあたり、本実施の形態の構成要素と本発明の構成要素との対応関係を明らかにする。本実施の形態の錠剤除包装置１０が本発明の錠剤除包装置に相当し、シート保持板２０がシート保持部材に相当し、錠剤貫通穴２２が錠剤貫通穴に相当し、凸部３１が凸部に相当し、凹部３２が凹部に相当し、押圧筒３０がシート押圧部材に相当し、操作棒５０が操作部材に相当し、連接バネ４６が付勢部材に相当し、突起棒１３６が突起部材に相当し、固定バー８０がシート位置決定手段に相当する。なお、錠剤除包装置１０の動作を説明することにより本発明の錠剤除包装置の操作方法の一例も明らかにしている。
【００１６】
続いて、図１及び図２を用いて、本発明の一例である錠剤除包装置１０の構成を詳しく説明する。ここで、図１は、本発明の錠剤除包装置の一例である、錠剤除包装置１０の構成の概略を示す斜視図であり、図２は、錠剤除包装置１０の構成の概略を示す断面図である。図１に示すように、錠剤除包装置１０は、錠剤封入シート７０を上面で保持するシート保持板２０と、錠剤封入シート７０を押圧して錠剤を取り出す押圧筒３０と、押圧筒３０を保持する本体部４０と、押圧筒３０を操作する操作棒５０と、シート保持板２０と本体部４０及び操作棒５０とを連接する連接部材６０と、によって構成されている。このとき、押圧筒３０の外径は、錠剤封入シート７０における錠剤７２の封入部（両面が接着されていない領域）の直径よりも短いものとして説明するが、錠剤封入シート７０に応じて、適宜適切な直径を有する押圧筒３０を選択することができる。なお、以下において、錠剤封入シートから錠剤を取り出すものを一例として説明するが、錠剤には、カプセル剤やゼリー剤等であってもよいし、薬剤だけでなく、健康食品、医薬部外品、食料品、お菓子等、同様の形状のシートに封入されたものであれば、適宜任意の封入物を取り出す際に使用することができる。
【００１７】
シート保持板２０は金属製の板状部材であり、図１に示すように、後述する押圧筒３０の直下に錠剤貫通穴２２を有し、錠剤封入シート７０を上面で保持する（図４参照）。
【００１８】
押圧筒３０は鉄製の略筒状部材であり、図１に示すように、本体部４０の押圧筒貫通穴４２の内側に上下に往復運動可能な状態で位置決めされている。この押圧筒３０の外径は、錠剤貫通穴２２の内径よりもやや小さく設定されているため、押圧筒３０は、錠剤貫通穴２２を通過することができる。また、押圧筒３０の両側面にはそれぞれ螺旋穴が設けられており、それぞれ水平バー３３ａ及び水平バー３３ｂ（以下、「水平バー３３」とも言う）が螺合されている。更に、押圧筒３０の上面は操作棒５０を受けており、押圧筒３０の下面は、水平面に対して略３０度の傾斜角を有し外周に沿った略円形状の凸部３１と、凸部３１よりも内側の凹部３２とからなる。更に、押圧筒３０は、後述する連接バネ４６により水平バー３３を介して上向きに付勢されている。このため、押圧筒３０は、後述する操作棒５０が上下に回動すると、操作棒５０の動きに伴って上下に移動する。なお、凸部３１の傾斜角は、略３０度に限定されるものではなく、略１５度であっても良いし、略４５度であっても良いし、略６０度であっても良く、適宜任意の角度を選択することができる。
【００１９】
本体部４０は硬質プラスチック製であり、図１に示すように、一端側に上下に貫通する押圧筒貫通穴４２を有している。この本体部４０の上面であって押圧筒貫通穴４２の両側には、支持バー４４ａ及び支持バー４４ｂ（以下、「支持バー４４」とも言う）を有している。支持バー４４は、それぞれ連接バネ４６ａ及び連接バネ４６ｂ（以下、「連接バネ４６）とも言う）と固定されており、それぞれ水平バー３３ａ及び水平バー３３ｂを介して押圧筒３０を上方向に付勢している。更に、本体部４０の上面であって、後述する操作棒５０の下部には、第一操作棒ストッパ４８を有しており、操作棒５０を下方向に操作した際、下方向に移動しすぎることを防ぐことができる。そして、本体部４０の上面であって、押圧筒貫通穴４２と反対側の端部と連接軸６２との間の位置には、図２に示すように、第二操作棒ストッパ４９が設けられており、操作棒５０が押圧筒３０が押圧されて移動する上限位置を位置決めしている。第一操作棒ストッパ４８及び第二操作棒ストッパ４９は鉄製であり、ボルトとナットとを組み合わせることで構成されている。
【００２０】
操作棒５０は、図１に示すように、鉄製の操作軸６２の一端側に略球状の操作部５４を有し、他端側は後述する連接軸６２を介して後述する連接部材６０に連接されている。また、操作部５４と連接軸５２との中点よりも操作部５４に近い位置には、操作棒５０の対向する両面に一対の押圧リング５６が設けられており、この押圧リング５６の円周下部の一部は、押圧筒３０と接している。こうすることにより、連接バネ４６によって上方向に付勢された押圧筒３０は所定位置に位置決めされる。また、連接バネ４６の付勢力と操作部５４の質量とを調節することにより、操作棒５０の滑らかな操作を可能とし、操作棒５０を操作するために必要な力を更に低減することも可能としている。
【００２１】
連接部材６０は一対の金属製部材であり、図１に示すように、シート保持板２０の上面の一端側にビスで固定されている。この連接部材６０は、本体部４０を両側から挟み込んでビスで固定しており、連接部材６０の上部には、操作棒５０を回動可能に軸止する連接軸６２が設けられている。また、シート保持板２０と本体部４０との間には、シート挿入空間を有している。なお、このシート挿入空間は錠剤封入シート７０を挿入可能な空間であり、この空間は、錠剤封入シート７０が封入可能であれば適宜任意の長さを選択可能であり、例えば、５ｍｍ〜２０ｍｍ程度であってもよい。
【００２２】
次に、こうして構成された本実施の形態の錠剤除包装置１０の操作方法について図４を用いて説明する。ここで、図４は、錠剤除包装置１０の使用方法を説明するための説明図であり、以下の説明において、図４（Ａ）の状態を使用前状態、図４（Ｂ）の状態を押出状態とそれぞれ呼ぶことにする。
【００２３】
錠剤除包装置１０を使用する際には、図４（Ａ）に示すように、シート保持板２０の上面に錠剤封入シート７０を配置する。このとき、封入された錠剤７２が錠剤貫通穴２２の直上に位置するように配置する。このように配置すると、押圧筒３０が錠剤貫通穴２２の直上に位置しているため、押圧筒３０の凸部３１が錠剤７２の周囲に位置し、凹部３２が錠剤７２の直上に位置することになる。このとき、操作棒５０は、連接バネ４６によって上方に付勢された押圧筒３０によって押圧リング５６が上方に押上げられているが、操作軸５２の一端側が第二操作棒ストッパ４９によって係止されているため、使用前状態で位置決めされている。
【００２４】
錠剤封入シート７０から錠剤７２を取り出す際には、操作部５４を押下して使用する。操作部５４を押下すると、操作軸５２が連接軸６２を回動中心として回動し、押圧リング５６が押圧筒３０を押下する。こうすることにより、連接軸６２を支点、操作部５４を力点、押圧リング５６を作用点とした「てこの原理」を用い、押圧筒３０を直接押下する場合と比較して、より小さな力で押圧筒５０を押下することができる。このとき、押圧リング５６の下面が略円弧状になっているため、操作棒５０の回転運動を押圧軸３０の上下運動にスムーズに変更することができる。
【００２５】
押圧筒３０が押下されるに伴って、押圧筒３０の下端にある凸部３１が錠剤封入シート７０を押圧する。このとき、押圧筒３０の下端部に設けられた凸部３１はシート保持板２０に対して傾斜角を有するため、押圧筒３０が押下される際には、凸部３１の一点が錠剤封入シート７０と接することになり、押圧筒３０の下端面が錠剤封入シート７０に対して水平である場合と比較して、オペレータの力を一点に集約することができる。言い換えると、より力を低減して、錠剤封入シート７０を押圧することができる。
【００２６】
押圧筒３０の凸部３１が錠剤封入シート７０を更に押圧すると、図４（Ｂ）に示すように、押圧筒３０は、錠剤貫通穴２２の内側に侵入する。このとき、錠剤封入シート７０は、凸部３１と錠剤貫通穴２２の縁部との間で挟まれ、錠剤貫通穴２２の外周に沿って切断されることになる。切断された錠剤封入シート７０の一部は、錠剤７２と伴って錠剤貫通穴２２を通過することになる。こうすることにより、突起部を有しない錠剤封入シート７０に封入された錠剤７２を取り出すことができる。
【００２７】
錠剤封入シート７０から錠剤７２を取り出した後は、操作部５４から手を離す（操作部５４を開放状態にする）。操作棒５０は、連接バネ４６によって上方に付勢された押圧筒３０によって押圧リング５６が上方に押上げられるため、操作部５４を開放状態にすると、連接バネ４６の付勢力によって上方向に押圧され、図４（Ａ）に示すように、使用前状態に自動的に位置決めされる。更に、錠剤封入シート７０より他の錠剤７２を取り出す場合には、錠剤封入シート７０の位置を変更し、錠剤封入シート７０に封入された他の錠剤７２を錠剤貫通穴２２の直上位置に移動させ、再度同様の操作を行えばよい。
【００２８】
以上詳述した本実施の形態の錠剤除包装置１０によれば、押圧筒３０の下端面に凸部５１及び錠剤７２が侵入可能な凹部５２が備えられており、凸部５１が錠剤封入シート７０を押圧し、押圧面の少なくとも一部が錠剤貫通穴２２に侵入することにより、錠剤封入シート７０の一部が切断され、錠剤７２が取り出される。したがって、突出部を有しない錠剤封入シート７０に封入された錠剤７２を取り出すことができる。
【００２９】
また、押圧筒３０の下面に備えられた凸部３１は、シート保持板２０に対して傾斜角を有しているため、傾斜した凸部３１の先端部から順次錠剤封入シート７０に触れることになり、錠剤封入シート７０との接地面が減少し、押圧力を集中させることができる。
【００３０】
更に、操作棒５０は、てこの原理により押圧筒３０を押下し、錠剤封入シート７０の一部を切断して錠剤７２を取り出すため、てこの原理を用いない場合と比較して、より少ない労力で錠剤７２を取り出すことができる。なお、この効果は、錠剤除包装置１０を複数回用いて多数の錠剤を取り出す際には、より顕著な効果として得られる。
【００３１】
更にまた、操作棒５０の方向に押圧筒３０を付勢する連接バネ４６を有しているため、押圧筒３０が操作棒５０の移動に伴って移動する。こうすることにより、押圧筒３０と操作棒５０とが連動していない場合と比較して、押圧筒３０を移動させる労力を低減させることができる。また、錠剤封入シート７０から錠剤７２を取り出した後には、操作棒５０が使用前状態に自動的に戻されるため、錠剤７２を取り出すたびに操作棒５０を元の位置に戻す労力を低減することができる。
【００３２】
なお、本発明は上述した実施形態に何ら限定されることはなく、本発明の技術的範囲に属する限り種々の態様で実施し得ることはいうまでもない。
【００３３】
例えば、上述した実施の形態において、押圧筒３０を用いたが、押圧筒３０の代わりに、図５に示すような、凹部３２から突出する突起棒１３６を備えた押圧筒１３０を用いても良い。ここで、押圧筒１３０について、図５を用いて更に詳しく説明する。図５は、押圧筒１３０の構成の概略を示す分解斜視図である。なお、同一の符号を付した部材は押圧筒３０と同様の部材であるため、ここでは説明を省略する。
【００３４】
押圧筒１３０は鉄製の略筒状部材であり、押圧筒３０と同様に、押圧筒貫通穴４２の内側に上下に往復運動可能な状態で位置決めされており、両側面に螺合された水平バー３３により、操作棒５０を押圧する。このため、押圧筒１３０は、操作棒５０が上下に回動すると、操作棒５０の動きに伴って上下に移動する。また、凹部３２と押圧筒１３０の上端面との間には、押圧筒１３０を上下に貫通する突起棒貫通穴１３４が設けられており、突起棒貫通穴１３４には、突起棒貫通穴１３４から先端部が突出した状態で突起棒１３６が備えられている。この突起棒１３６の上方には、突起棒押圧バネ１３８、上蓋１３９がこの順で取り付けられている。上蓋１３９は、図示しないビスによって押圧筒１３０の上端面に固定されているため、突起棒１３６は、突起棒押圧バネ１３８によって下方向に付勢される。また、突起棒１３６の上端部の直径は、他の部分の直径よりも大きくなっているため、突起棒押圧バネ１３８によって突起棒１３６を確実に押圧することができると共に、突起棒押圧バネ１３８によって、突起棒１３６が突起棒貫通穴１３４から脱落することを未然に防いでいる。
【００３５】
ここで、突起棒１３６が設けられている位置について、更に詳しく説明する。突起棒１３６は、図５に示すように、凸部３１の最も突出している位置に対して、底面３２の中心を挟んで対向する位置に設けられている。つまり、凸部３１が錠剤封入シート７０を押圧する際には、錠剤封入シート７０の切断部位から遠い位置付近に突起棒１３６が位置することになる。こうすることにより、錠剤封入シート７０より錠剤７２を取り出す際には、凸部３１によって未だ切断されていない領域付近を突起棒１３６が押圧することになる。
【００３６】
次に、この押圧筒１３０を用いて錠剤封入シート７０から錠剤７２を取り出す様子について詳しく説明する。なお、突起棒１３６の動き以外は、上述した実施の形態と同様であるため、説明を省略する。押圧筒１３０が押下されると、押圧筒１３０の下方向に突出している突起棒１３６が錠剤封入シート７０によって上方向に押圧され、突起棒１３６の先端位置と押圧筒１３０の凸部３１の先端位置とが、略同一の位置に位置決めされる。このとき、突起棒１３６は、突起棒押圧バネ１３８によって押圧筒１３０の進行方向に付勢されているため、凸部３１の内側であって、錠剤封入シート７０の錠剤７２近傍を進行方向に押圧することになる。
【００３７】
押圧筒１３０の凸部３１が錠剤封入シート７０を更に押圧すると、押圧筒１３０は、錠剤貫通穴２２の内側に侵入する。このとき、錠剤封入シート７０の一部は、凸部３１と錠剤貫通穴２２の縁部との間で挟まれ、錠剤貫通穴２２の外周に沿って切断されることになる。錠剤封入シート７０の一部が切断されると、錠剤封入シート７０によって押圧されていた突起棒１３６が開放され、突起棒押圧バネ１３８の付勢力によって、押圧筒３０の凹部３２に対向する位置にある錠剤封入シート７０の一部が押下される。こうすると、錠剤７２付近の錠剤封入シート７０が押下され、錠剤７２が押出される。つまり、錠剤７２の周り全てを切断することなく、錠剤７２を取り出すことができる。言い換えると、錠剤封入シート７０の一部を完全に切り離す必要がないため、不要な錠剤封入シート７０の切断片と必要な錠剤７２とが混合することを未然に防ぐことができる。
【００３８】
この態様を採用した場合において、突起棒１３８は錠剤７２の直上位置、言い換えると凹部３２の略中心位置、に設けられるものとしても良い。こうすれば、錠剤封入シート７０が凸部３１で切断されるに伴って、突起棒１３８が錠剤７２を押下するため、錠剤封入シート７０の周りを全て切断することなく、錠剤７２を取り出すことができる。言い換えると、錠剤封入シート７０の一部を完全に切り離す必要がないため、不要な錠剤封入シート７０の切断片と必要な錠剤７２とが混合する可能性をより低減することができる。
【００３９】
この態様を採用した場合において、突起棒１３８は、凸部３１の高さが最も低い位置近傍であって、錠剤７２の壁面部近傍の直上位置に設けられるものとしてもよい。こうすれば、錠剤封入シート７０が凸部３１で切断されるに伴って、突起棒１３８によって錠剤７２が凸部３１で錠剤封入シート７０が既に切断されている方向に押圧されることになるため、より錠剤７２を取り出しやすい。言い換えると、不要な錠剤封入シート７０の切断片と必要な錠剤７２とが混合する可能性をより低減することができる。
【００４０】
この態様を採用した場合において、突起棒１３８は押圧筒１３０の下方に突出した状態で固定されていても良い。こうすれば、突起棒押圧バネ５８等の突起棒１３８を移動するための機構を設ける必要がないため、部品点数を減らし容易に制作することを可能にしながらも、上述した態様と同様の効果が得られる。
【００４１】
上述した実施の形態において、凸部３１は押圧筒３０の外周に沿って備えられているものとしたが、錠剤７２の外縁より外側であれば、押圧筒３０の外周に限定されるものではない。また、外周全体が凸部でなくてもよく、例えば、半円状の凸部や、外周上に不連続な凸部を有していても良い。この場合も、上述した実施の形態と同様の効果が得られる。
【００４２】
上述した実施の形態において、凸部３１は傾斜角を有する略平面状の凸部であるものとしたが、図６（Ａ）に示すように、頂面が湾曲したものであってもよい。ここで、図６は、他の実施の形態における押圧筒２３０の構成の概略を示す斜視図である。凸部２３１は２個所の隆起部２３４と２個所の沈降部２３６とを有しており、錠剤封入シート７０を押圧する際には、まずは２個所の隆起部２３４が錠剤封入シート７０を押圧することになる。こうすることにより、起伏を有していない場合と比較して、より労力を低減して錠剤７２の周囲を切断することができる。
【００４３】
この態様を採用した場合において、隆起部２３４及び沈降部２３６はそれぞれ２個所であるものとしたが、３個所以上であっても良い。また、隆起部２３４と沈降部２３６との間は、直線で連結されていてもよいし、曲線で連結されるものであってもよい。更に、２個所の沈降部２３６の深さは同一であっても良いし、一方が深く他方が浅いものであってもよい。更にまた、２個所の隆起部２３４の高さは、同一であっても良いし、一方が高く他方が低いものであってもよい。いずれの場合も、上述した実施の形態と同様の効果が得られる。
【００４４】
この態様を採用した場合において、突起棒３８又は突起棒１３８を設ける場合には、凸部２３１の高さが最も低い位置付近に設けるものとしても良い。こうすれば、突起棒３８又は突起棒１３８が錠剤封入シート７０を押圧する際、凸部２３１によって未だ切断されていない領域付近を突起棒１３６が押圧することになるため、錠剤７２を取り出しやすい。言い換えると、不要な錠剤封入シート７０の切断片と必要な錠剤７２とが混合する可能性をより低減することができる。
【００４５】
この態様を採用した場合において、２個所の沈降部３３６は、図６（Ｂ）に示すように、深さの異なる２個所の沈降部３３６ａ及び沈降部３３６ｂ（以下、「沈降部３３６」とも言う）であって、より浅い沈降部である沈降部３３６ａ近傍に突起棒３４６を備えていても良い。このとき、沈降部３３６ａは沈降部３３６ｂと比較するとより浅く形成されているため、錠剤封入シート７０を押圧筒３３０で押圧した際には、沈降部３３６ａが錠剤封入シート７０を最後に押圧することになる。このため、突起棒３４６が錠剤封入シート７０を押圧する際、錠剤封入シート７０の未だ切断されていない領域付近を突起棒３４６が押圧することになるため、錠剤７２を取り出しやすい。言い換えると、不要な錠剤封入シート７０の切断片と必要な錠剤７２とが混合する可能性をより低減することができる。
【００４６】
上述した実施の形態において、凸部３１を有するものとしたが、凸部３１の先端は刃としてもよい。こうすれば、凸部３１が刃でない場合と比較して、錠剤封入シート７０をより容易に切り取ることができる。言い換えると、より小さな力で、錠剤封入シート７０から錠剤７２を取り出すことができる。この態様を採用した場合において、刃は取り替え可能であってもよい。こうすれば、使用により切れ味が低下した場合でも、刃を取り替えることで再度切れ味を取り戻すことができる。
【００４７】
上述した実施の形態において、錠剤封入シート７０に封入された錠剤７２の位置を錠剤貫通穴２２の直上に位置決めするものとしたが、図７に示すように、シート保持板２０の上面であって、錠剤封入シート７０の端部を位置決めする固定バー８０を有していても良い。こうすれば、複数の錠剤７２を錠剤封入シート７０から取り出す場合に、一度固定バー８０の位置を適切な位置に位置決めすれば、固定バー８０が無い場合と比較して、より容易に錠剤の位置を所望の位置に位置決めすることができる。
【００４８】
ここで、固定バー８０について、図７を用いて更に詳しく説明する。図７は、錠剤除包装置１０に固定バー８０を装着した状態の構成の概略を示す斜視図である。図７に示すように、固定バー８０は、鉄製の支持部材８２の一端側に略垂直に硬質プラスチック製の位置決め部材８４が連接されており、全体として略Ｔ字形状である。このとき、本体部４０には、シート保持板２０の表面と略同一の位置に支持部材と略同経の図示しない挿入穴が設けられており、支持部材８２が挿入される。また、この挿入穴と略垂直となる位置に、内側に螺旋溝を有する図示しないビス挿入穴が設けられており、固定ビス８６が螺合されている。このため、固定ビス８６の先端部で支持部材８２の側面を押圧することで、支持部材８２を所定の位置に位置決めする。すなわち、固定バー８０を所望の位置に位置決めする。
【００４９】
次に、固定バー８０の位置決めについて、更に詳しく説明する。多くの錠剤封入シートには、錠剤が直線状に封入されており、一端側から錠剤までの距離が同一であるものが多い。このため、錠剤封入シートから複数の錠剤を取り出す場合には、ある錠剤が錠剤貫通穴２２の直上になる位置に位置決めした後、固定バーの位置決め部材８４と錠剤封入シート７０の端部とが接する位置に固定バー８０の位置を調節し、固定ビス８６によって固定バー８０を位置決めする。こうすることにより、他の錠剤を取り出す際には、錠剤封入シート７０を位置決め部材８４に沿って動かすことで、容易に錠剤を所望の位置に位置決めすることができる。なお、この効果は錠剤除包装置１０を用いて、一度に多数の錠剤を取り出す場合には、より顕著な効果となる。
【００５０】
上述した実施の形態において、略円形の押圧リング５６を設けるものとしたが、押圧リング５６は略円形でなくてもよく、下方に円周をもつ略半円形であってもよく、略楕円形状であってもよい。この場合も、上述した実施の形態と同様の効果が得られる。
【００５１】
上述した実施の形態において、第一操作棒ストッパ４８を設けるものとしたが、無くても良い。また、第二操作棒ストッパ４９を設けるものとしたが、無くても良い。いずれの場合であっても、本体部４０の上面により、上述した実施の形態と同様の効果が得られる。
【産業上の利用可能性】
【００５２】
上述した実施の形態で示すように、錠剤封入シートからの錠剤の取り出し、特に、複数の錠剤を取り出す際に有効に利用することができる。
【符号の説明】
【００５３】
１０  錠剤除包装置、２０  シート保持板、２２  錠剤貫通穴、３０  押圧筒、３１  凸部、３２  凹部、３３  水平バー、４０  本体部、４２  押圧筒貫通穴、４４  支持バー、４６  連接バネ、４８  第一操作棒ストッパ、４９  第二操作棒ストッパ、５０  操作棒、５２  操作軸、５４  操作部、５６  押圧リング、６０  連接部材、６２連接軸、７０  錠剤封入シート、７２  錠剤、８０  固定バー、８２  支持部材、８４  位置決め部材、８６  固定ビス  １３０  押圧筒、１３４  突起棒貫通穴、１３６  突起棒、１３８  突起棒押圧バネ、１３９  上蓋、２３０  押圧筒、２３１  凸部、２３４  隆起部、２４６  沈降部、３３０  押圧筒、３３１  凸部、３３４  隆起部、３３６  沈降部、３４６、突起棒。
【図１】
2010263988.tif 000003
【図２】
2010263988.tif 000004
【図３】
2010263988.tif 000005
【図４】
2010263988.tif 000006
【図５】
2010263988.tif 000007
【図６】
2010263988.tif 000008
【図７】
2010263988.tif 000009